(57)【要約】【課題】洗面所やトイレ等にて使用される手乾燥装置において、衛生的な状態を保つことができる手乾燥装置を提供することを目的とする。【解決手段】本体内部に設けた送風手段２及び発熱手段３と、前記発熱手段３の下部に設けた送風吹出ノズル４と、前記送風吹出ノズル４の下方に乾燥空間５を介して設けた水受け皿６と、前記水受け皿６に形成した水抜き穴７と、前記水抜き穴７の下方に着脱可能に設けた水受けカップ８と、前記水受け皿６の内部に設けた振動手段９を有し、前記乾燥空間５に濡れた手が挿入され、前記送風手段２及び前記発熱手段３と前記振動手段９を動作させた場合、前記振動手段９により振動している前記水受け皿６の表面には水滴が付着し難く、衛生的な状態を保つことができる手乾燥装置１が得られる。【選択図】図１
2012143282.tif 000002
【特許請求の範囲】
【請求項１】
本体内部に設けた送風手段及び発熱手段と、前記発熱手段の下部に設けた送風吹出ノズルと、前記送風吹出ノズルの下方に乾燥空間を介して設けた水受け皿と、前記水受け皿に形成した水抜き穴と、前記水抜き穴の下方に着脱可能に設けた水受けカップと、前記水受け皿の内部に設けた振動手段を有したことを特徴とした手乾燥装置。
【請求項２】
水受け皿と、前記水受け皿に形成した水抜き穴の表面に、撥水処理を施した請求項１に記載の手乾燥装置。
【請求項３】
水受け皿と、前記水受け皿に形成した水抜き穴の表面に、抗菌処理を施した請求項１に記載の手乾燥装置。
【請求項４】
水受け皿の表面に、水抜き穴につながる複数の水溝を形成した請求項１から３のいずれかに記載の手乾燥装置。
【請求項５】
水受け皿の近傍にオゾン発生装置を設けたことを特徴とした請求項１から４のいずれかに記載の手乾燥装置。
【請求項６】
水受け皿の近傍にマイナスイオン発生装置を設けたことを特徴とした請求項１から４のいずれかに記載の手乾燥装置。
【請求項７】
水受けカップの表面に、抗菌処理を施した請求項１から６のいずれかに記載の手乾燥装置。
【請求項８】
水受けカップの近傍にオゾン発生装置を設けたことを特徴とした請求項１から７のいずれかに記載の手乾燥装置。
【請求項９】
水受けカップの近傍にマイナスイオン発生装置を設けたことを特徴とした請求項１から７のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、風速の速い温風により手の水滴を飛ばし、その温風の熱で手の水分を蒸発させ、乾燥させるものが知られていた。（例えば特許文献１参照）。
【０００３】
以下、その手乾燥装置について図９を参照しながら説明する。
【０００４】
図９に示すように、手乾燥装置１０１は本体内部に設けた送風手段１０２及び発熱手段１０３と、前記発熱手段１０３の下部に設けた送風吹出ノズル１０４と、前記送風吹出ノズル１０４の下方に乾燥空間１０５を介して設けた水受け皿１０６と、前記水受け皿１０６に形成した水抜き穴１０７と、前記水抜き穴１０７の下方に着脱可能に設けた水受けカップ１０８を有し、前記送風吹出ノズル１０４より風速の速い温風を吹出し、手を乾燥させるものである。
【先行技術文献】
【特許文献】
【０００５】
【特許文献１】特許第３８２１５２０号公報（段落番号０００９，図１）
【発明の概要】
【発明が解決しようとする課題】
【０００６】
このような従来の手乾燥装置の方法では、手から引き剥がして飛ばした水滴が、水受け皿の表面に付着し衛生的でないという課題があった。
【０００７】
本発明は、上記従来の課題を解決するもので、水受け皿に振動を与えることにより、前記水受け皿の表面に水滴が付着し難くし、前記水受け皿を清潔に保ち、衛生的な手乾燥装置を提供することを目的としている。
【課題を解決するための手段】
【０００８】
本発明の手乾燥装置は、上記目的を達成するために、本体内部に設けた送風手段及び発熱手段と、前記発熱手段の下部に設けた送風吹出ノズルと、前記送風吹出ノズルの下方に乾燥空間を介して設けた水受け皿と、前記水受け皿に形成した水抜き穴と、前記水抜き穴の下方に着脱可能に設けた水受けカップと、前記水受け皿の内部に設けた振動手段よりなる構成としたものである。
【０００９】
この手段により、前記乾燥空間に濡れた手が挿入され、前記送風手段及び前記発熱手段と前記振動手段を動作させ、前記送風吹出ノズルから送出される高圧空気により手から引き剥がされた水滴が、前記水受け皿に落ちた場合に、前記水受け皿は前記振動手段により振動しており、前記水受け皿の表面に水滴が付着し難く、衛生的な状態を保つことができる手乾燥装置が得られる。
【００１０】
また、水受け皿と、前記水受け皿に形成した水抜き穴の表面に、撥水処理を施したものである。
【００１１】
この手段により、前記水受け皿と、前記水受け皿に形成した水抜き穴の表面に水滴が付着し難く、衛生的な状態を保つことができる手乾燥装置が得られる。
【００１２】
また、水受け皿と、前記水受け皿に形成した水抜き穴の表面に、抗菌処理を施したものである。
【００１３】
この手段により、前記水受け皿と、前記水受け皿に形成した水抜き穴の表面に雑菌が繁殖し難く、衛生的な状態を保つことができる手乾燥装置が得られる。
【００１４】
また、水受け皿の表面に、水抜き穴につながる複数の水溝を形成したものである。
【００１５】
この手段により、前記水受け皿の表面に付着した水滴は、前記水溝により、水抜き穴に流れ込み易くなり、衛生的な状態を保つことができる手乾燥装置が得られる。
【００１６】
また、水受け皿の近傍にオゾン発生装置を設けたものである。
【００１７】
この手段により、前記水受け皿の表面に細菌が繁殖し難くなり、衛生的な状態を保つことができる手乾燥装置が得られる。
【００１８】
また、水受け皿の近傍にマイナスイオン発生装置を設けたものである。
【００１９】
この手段により、前記水受け皿の表面に細菌が繁殖し難くなり、衛生的な状態を保つことができる手乾燥装置が得られる。
【００２０】
また、水受けカップの表面に、抗菌処理を施したものである。
【００２１】
この手段により、前記水受けカップに細菌が繁殖し難くなり、衛生的な状態を保つことができる手乾燥装置が得られる。
【００２２】
また、水受けカップの近傍にオゾン発生装置を設けたものである。
【００２３】
この手段により、前記水受けカップに細菌が繁殖し難くなり、衛生的な状態を保つことができる手乾燥装置が得られる。
【００２４】
また、水受けカップの近傍にマイナスイオン発生装置を設けたものである。
【００２５】
この手段により、前記水受けカップに細菌が繁殖し難くなり、衛生的な状態を保つことができる手乾燥装置が得られる。
【発明の効果】
【００２６】
本発明によれば、本体内部に設けた送風手段及び発熱手段と、前記発熱手段の下部に設けた送風吹出ノズルと、前記送風吹出ノズルの下方に乾燥空間を介して設けた水受け皿と、前記水受け皿に形成した水抜き穴と、前記水抜き穴の下方に着脱可能に設けた水受けカップと、前記水受け皿の内部に設けた振動手段を有し、前記乾燥空間に濡れた手が挿入され、前記送風手段及び前記発熱手段と前記振動手段を動作させ、前記送風吹出ノズルから送出される高圧空気により手から引き剥がされた水滴が、前記水受け皿に落ちた場合に、前記水受け皿は前記振動手段により振動しており、前記水受け皿の表面に水滴が付着し難く、衛生的な状態を保つことができる手乾燥装置を提供できる。
【図面の簡単な説明】
【００２７】
【図１】本発明の実施の形態１の手乾燥装置の構成を示す概略図
【図２】本発明の実施の形態２、３の手乾燥装置の構成を示す概略図
【図３】本発明の実施の形態４の手乾燥装置の構成を示す概略図
【図４】本発明の実施の形態５の手乾燥装置の構成を示す概略図
【図５】本発明の実施の形態６の手乾燥装置の構成を示す概略図
【図６】本発明の実施の形態７の手乾燥装置の構成を示す概略図
【図７】本発明の実施の形態８の手乾燥装置の構成を示す概略図
【図８】本発明の実施の形態９の手乾燥装置の構成を示す概略図
【図９】従来の手乾燥装置の構成を示す概略図
【発明を実施するための形態】
【００２８】
本発明の請求項１記載の発明は、本体内部に設けた送風手段及び発熱手段と、前記発熱手段の下部に設けた送風吹出ノズルと、前記送風吹出ノズルの下方に乾燥空間を介して設けた水受け皿と、前記水受け皿に形成した水抜き穴と、前記水抜き穴の下方に着脱可能に設けた水受けカップと、前記水受け皿の内部に設けた振動手段を有し、前記乾燥空間に濡れた手が挿入され、前記送風手段及び前記発熱手段と前記振動手段を動作させ、前記送風吹出ノズルから送出される高圧空気により手から引き剥がされた水滴が、前記水受け皿に落ちた場合に、前記水受け皿は前記振動手段により振動しており、前記水受け皿の表面に水滴が付着し難く、衛生的な状態を保つ作用を有する。
【００２９】
また、水受け皿と、前記水受け皿に形成した水抜き穴の表面に、撥水処理を施したものであり、前記水受け皿と、前記水受け皿に形成した水抜き穴の表面に水滴が付着し難く、衛生的な状態を保つ作用を有する。
【００３０】
また、水受け皿と、前記水受け皿に形成した水抜き穴の表面に、抗菌処理を施したものであり、前記水受け皿と、前記水受け皿に形成した水抜き穴の表面に雑菌が繁殖し難く、衛生的な状態を保つ作用を有する。
【００３１】
また、水受け皿の表面に、水抜き穴につながる複数の水溝を形成したものであり、前記水受け皿の表面に付着した水滴は、前記水溝により、水抜き穴に流れ込み易くなり、衛生的な状態を保つ作用を有する。
【００３２】
また、水受け皿の近傍にオゾン発生装置を設けたものであり、前記水受け皿の表面に細菌が繁殖し難くなり、衛生的な状態を保つ作用を有する。
【００３３】
また、水受け皿の近傍にマイナスイオン発生装置を設けたものであり、前記水受け皿の表面に細菌が繁殖し難くなり、衛生的な状態を保つ作用を有する。
【００３４】
また、水受けカップの表面に、抗菌処理を施したものであり、前記水受けカップに細菌が繁殖し難くなり、衛生的な状態を保つ作用を有する。
【００３５】
また、水受けカップの近傍にオゾン発生装置を設けたものであり、前記水受けカップに細菌が繁殖し難くなり、衛生的な状態を保つ作用を有する。
【００３６】
また、水受けカップの近傍にマイナスイオン発生装置を設けたものであり、前記水受けカップに細菌が繁殖し難くなり、衛生的な状態を保つ作用を有する。
【００３７】
（実施の形態１）
図１に示すように、手乾燥装置１は本体内部に設けた送風手段２、たとえばブロアーモータ、及び発熱手段３、たとえばＰＴＣヒータと、前記発熱手段３の下部に設けた送風吹出ノズル４と、前記送風吹出ノズル４の下方に乾燥空間５を介して設けた水受け皿６と、前記水受け皿６に形成した水抜き穴７と、前記水抜き穴７の下方に着脱可能に設けた水受けカップ８と、前記水受け皿６の内部に設けた振動手段９、たとえば振動モータにより構成される。
【００３８】
上記構成において、前記乾燥空間５に濡れた手が挿入され、前記送風手段２及び前記発熱手段３と前記振動手段９を動作させ、前記送風吹出ノズル４から送出される高圧空気により手から引き剥がされた水滴が、前記水受け皿６に落ちた場合に、前記水受け皿６は前記振動手段９により振動しており、前記水受け皿６の表面に水滴が付着し難く、衛生的な状態を保つことができる。
【００３９】
なお、本実施の形態１では、送出ノズル部が１個の手乾燥装置としているが、送出ノズル部を複数設け、手の両面より送風する手乾燥装置においても同様の作用効果をもたらすことは言うまでもない。
【００４０】
（実施の形態２）
次に、本発明の実施の形態２について図面を参照しながら説明する。なお，実施の形態１と同一のものは同一番号を付し、その詳細な説明を省略する。
【００４１】
図２に示すように、手乾燥装置１は水受け皿６と、前記水受け皿６に形成した水抜き穴７の表面に、撥水処理、たとえば光触媒処理を施したものでる。
【００４２】
上記構成において、前記水受け皿６と、前記水受け皿６に形成した水抜き穴７の表面に水滴が付着し難く、衛生的な状態を保つことができる。
【００４３】
（実施の形態３）
次に、本発明の実施の形態３について図面を参照しながら説明する。なお，実施の形態１、２と同一のものは同一番号を付し、その詳細な説明を省略する。
【００４４】
図２に示すように、手乾燥装置１は水受け皿６と、前記水受け皿６に形成した水抜き穴７の表面に、抗菌処理、たとえば銀イオン処理を施したものである。
【００４５】
前記水受け皿６と、前記水受け皿６に形成した水抜き穴７の表面に雑菌が繁殖し難く、衛生的な状態を保つことができる。
【００４６】
（実施の形態４）
次に、本発明の実施の形態４について図面を参照しながら説明する。なお、実施の形態１、２、３と同一のものは同一番号を付し、その詳細な説明を省略する。
【００４７】
図３に示すように、手乾燥装置１は水受け皿６の表面に、水抜き穴７につながる複数の水溝１０を形成したものである。
【００４８】
上記構成において、前記水受け皿６の表面に付着した水滴は、前記水溝１０により、水抜き穴７に流れ込み易くなり、衛生的な状態を保つことができる。
【００４９】
（実施の形態５）
次に、本発明の実施の形態５について図面を参照しながら説明する。なお、実施の形態１、２、３、４と同一のものは同一番号を付し、その詳細な説明を省略する。
【００５０】
図４に示すように、手乾燥装置１は水受け皿６の近傍にオゾン発生装置１１を設けたものである。
【００５１】
上記構成において、前記水受け皿６の表面に細菌が繁殖し難くなり、衛生的な状態を保つことができる。
【００５２】
（実施の形態６）
次に、本発明の実施の形態６について図面を参照しながら説明する。なお、実施の形態１、２、３、４、５と同一のものは同一番号を付し、その詳細な説明を省略する。
【００５３】
図５に示すように、手乾燥装置１は水受け皿６の近傍にマイナスイオン発生装置１２を設けたものである。
【００５４】
上記構成において、前記水受け皿６の表面に細菌が繁殖し難くなり、衛生的な状態を保つことができる。
【００５５】
（実施の形態７）
次に、発明の実施の形態７について図面を参照しながら説明する。なお、実施の形態１、２、３、４、５、６と同一のものは同一番号を付し、その詳細な説明を省略する。
【００５６】
図６に示すように、手乾燥装置１は水受けカップ８の表面に、抗菌処理、たとえば銀イオン処理を施したものである。
【００５７】
上記構成において、前記水受けカップ８に細菌が繁殖し難くなり、衛生的な状態を保つことができる。
【００５８】
（実施の形態８）
次に、本発明の実施の形態８について図面を参照しながら説明する。なお、実施の形態１、２、３、４、５、６、７と同一のものは同一番号を付し、その詳細な説明を省略する。
【００５９】
図７に示すように、手乾燥装置１は水受けカップ８の近傍にオゾン発生装置１１を設けたものである。
【００６０】
上記構成において、前記水受けカップ８に細菌が繁殖し難くなり、衛生的な状態を保つことができる。
【００６１】
（実施の形態９）
次に、本発明の実施の形態９について図面を参照しながら説明する。なお、実施の形態１、２、３、４、５、６、７、８と同一のものは同一番号を付し、その詳細な説明を省略する。
【００６２】
図８に示すように、手乾燥装置１は水受けカップ８の近傍にマイナスイオン発生装置１２を設けたものである。
【００６３】
上記構成において、前記水受けカップに細菌が繁殖し難くなり、衛生的な状態を保つことができる。
【産業上の利用可能性】
【００６４】
水滴が付着する事柄において、清潔を保ち衛生的な状態を保つことができる。
【符号の説明】
【００６５】
１      手乾燥装置
２      送風手段
３      発熱手段
４      送風吹出ノズル
５      乾燥空間
６      水受け皿
７      水抜き穴
８      水受けカップ
９      振動手段
１０    水溝
１１    オゾン発生装置
１２    マイナスイオン発生装置
１０１  手乾燥装置
１０２  送風手段
１０３  発熱手段
１０４  送風吹出ノズル
１０５  乾燥空間
１０６  水受け皿
１０７  水抜き穴
１０８  水受けカップ
【図１】
2012143282.tif 000003
【図２】
2012143282.tif 000004
【図３】
2012143282.tif 000005
【図４】
2012143282.tif 000006
【図５】
2012143282.tif 000007
【図６】
2012143282.tif 000008
【図７】
2012143282.tif 000009
【図８】
2012143282.tif 000010
【図９】
2012143282.tif 000011